(57)【要約】  Ｎ行、Ｍ列の行列で表現可能な、送信すべき長さＭ（Ｍは、２以上の自然数）のデータがＮ（Ｎは、２以上の自然数）個ある場合、送信データから、Ｍ個のＮ次列ベクトルデータを生成する列ベクトル生成手段１０と、列ベクトル生成手段１０により生成されたＭ個のＮ次列ベクトルデータを、順次、時間τ毎に、逆離散フーリエ変換手段に供給する供給手段１１と、逆離散フーリエ変換手段１２と、順次なされる逆離散フーリエ変換されたＮ個の出力のそれぞれに対して、遅延手段１３、１４により所定の遅延を行った後に、加算する加算手段１５と、加算手段１５により、加算された加算信号を、送信するデータ送信装置である。
2008032804.tif 000002
【特許請求の範囲】
【請求項１】
次式（７）に示すＮ行、Ｍ列の行列で表現可能な、送信すべき長さＭ（Ｍは、２以上の自然数）のデータがＮ（Ｎは、２以上の自然数）個ある場合、
【数７】
2008032804.tif 000009
式（８）のＭ個のＮ次列ベクトルを、順次、Ｍ回、時間τ毎に、逆離散フーリエ変換し、
【数８】
2008032804.tif 000010
としたとき、
順次なされる逆離散フーリエ変換されたＮ個の出力のそれぞれに対して、
逆離散フーリエ変換の第０行に係る端子の出力は、遅延することなく、
逆離散フーリエ変換の第１行に係る端子の出力は、Ｍτ遅延した後に、
・・・
逆離散フーリエ変換の第Ｎ−１行に係る端子の出力は、（Ｎ−１）Ｍτ遅延した後に、
加算し、
加算された加算信号を、送信することを特徴とするデータ送信方法。
【請求項２】
前記加算信号を、擬周期化して送信することを特徴とする請求項１記載のデータ送信方法。
【請求項３】
次式（９）に示すＮ行、Ｍ列の行列で表現可能な、送信すべき長さＭ（Ｍは、２以上の自然数）のデータがＮ（Ｎは、２以上の自然数）個ある場合、
【数９】
2008032804.tif 000011
式（９）のＭ個のＮ次列ベクトルデータを生成する列ベクトル生成手段と、
前記列ベクトル生成手段により生成されたＭ個のＮ次列ベクトルデータを、順次、時間τ毎に、逆離散フーリエ変換手段に供給する供給手段と、
逆離散フーリエ変換手段と、
【数１０】
2008032804.tif 000012
としたとき、順次なされる逆離散フーリエ変換されたＮ個の出力のそれぞれに対して、
逆離散フーリエ変換の第０行に係る端子の出力は、遅延することなく、
逆離散フーリエ変換の第１行に係る端子の出力は、Ｍτ遅延した後に、
・・・
逆離散フーリエ変換の第Ｎ−１行に係る端子の出力は、（Ｎ−１）Ｍτ遅延手段により（Ｎ−１）Ｍτ遅延した後に、
加算する加算手段と、
前記加算手段により、加算された加算信号を、送信することを特徴とするデータ送信装置。
【請求項４】
加算された加算信号を、擬周期化する擬周期化手段を、更に有することを特徴とする請求項３記載のデータ送信装置。
【請求項５】
請求項３に記載された送信装置からの信号を受信する受信装置において、
受信した信号をＮ個に分配する分配手段と、
前記分配手段で分配されたＮ個の受信信号に対して、それぞれ、  
０、Ｍτ・・・（Ｎ−２）Ｍτ、（Ｎ−１）Ｍτ
遅延する遅延手段と、
前記遅延手段により遅延されたＮ個の受信信号を離散フーリエ変換する手段と
を有することを特徴とするデータ受信装置。
【発明の詳細な説明】
【技術分野】
【０００１】
本発明は、データ送信方法、データ送信装置及びデータ受信装置に係り、特に、送信するデータを逆離散フーリエ変換して送信するデータ送信方法、データ送信装置及びデータ受信装置に関する。
【背景技術】
【０００２】
ＯＦＤＭ（Ｏｒｔｈｏｇｏｎａｌ Ｆｒｅｑｕｅｎｃｙ Ｄｉｖｉｓｉｏｎ
Ｍｕｌｔｉｐｌｅｘ）が、普及し、ＯＦＤＭのＩＣが、安価に手に入るようになってきた。【０００３】
しかしながら、ＯＦＤＭのＩＣを用いて、ＯＦＤＭ信号を生成することは、あっても、ＯＦＤＭのＩＣを用いて、別の信号を生成して送信することは行われていない。
【発明の開示】
【発明が解決しようとする課題】
【０００４】
そこで、本発明は、ＯＦＤＭのＩＣを有効利用して、簡単な回路構成により、送信又は受信することができるデータ送信方法、データ送信装置及びデータ受信装置を提供することを目的とするものである。
【発明の効果】
【０００５】
ＯＦＤＭのＩＣを有効利用して、簡単な回路構成により、送信又は受信することができるデータ送信方法、データ送信装置及びデータ受信装置を提供することができる。
【課題を解決するための手段】
【０００６】
上記目的を達成するために、本発明のデータ送信方法は、次式（１）に示すＮ行、Ｍ列の行列で表現可能な、送信すべき長さＭ（Ｍは、２以上の自然数）のデータがＮ（Ｎは、２以上の自然数）個ある場合、【０００７】
【数１】
2008032804.tif 000003
式（１）のＭ個のＮ次列ベクトルを、順次、Ｍ回、時間τ毎に、逆離散フーリエ変換し、【０００８】
【数２】
2008032804.tif 000004
としたとき、順次なされる逆離散フーリエ変換されたＮ個の出力のそれぞれに対して、
逆離散フーリエ変換の第０行に係る端子の出力は、遅延することなく、逆離散フーリエ変換の第１行に係る端子の出力は、Ｍτ遅延した後に、・・・、逆離散フーリエ変換の第Ｎ−１行に係る端子の出力は、（Ｎ−１）Ｍτ遅延した後に、加算し、
加算された加算信号を、送信するように構成することができる。【０００９】
また、上記目的を達成するために、本発明のデータ送信方法は、前記加算信号を、擬周期化して送信するように構成することができる。【００１０】
また、上記目的を達成するために、本発明のデータ送信装置は、次式（３）に示すＮ行、Ｍ列の行列で表現可能な、送信すべき長さＭ（Ｍは、２以上の自然数）のデータがＮ（Ｎは、２以上の自然数）個ある場合、【００１１】
【数３】
2008032804.tif 000005
式（３）のＭ個のＮ次列ベクトルデータを生成する列ベクトル生成手段と、
前記列ベクトル生成手段により生成されたＭ個のＮ次列ベクトルデータを、順次、時間τ毎に、逆離散フーリエ変換手段に供給する供給手段と、
逆離散フーリエ変換手段と、【００１２】
【数４】
2008032804.tif 000006
としたとき、順次なされる逆離散フーリエ変換されたＮ個の出力のそれぞれに対して、逆離散フーリエ変換の第０行に係る端子の出力は、遅延することなく、逆離散フーリエ変換の第１行に係る端子の出力は、Ｍτ遅延した後に、・・・逆離散フーリエ変換の第Ｎ−１行に係る端子の出力は、（Ｎ−１）Ｍτ遅延手段により（Ｎ−１）Ｍτ遅延した後に、加算する加算手段と、
前記加算手段により、加算された加算信号を、送信することを特徴とするデータ送信装置。【００１３】
また、上記目的を達成するために、本発明のデータ送信装置は、加算された加算信号を、擬周期化する擬周期化手段を、更に有するように構成することができる。【００１４】
また、上記目的を達成するために、本発明のデータ受信装置は、受信した信号をＮ個に分配する分配手段と、前記分配手段で分配されたＮ個の受信信号に対して、それぞれ、０、Ｍτ・・・（Ｎ−２）Ｍτ、（Ｎ−１）Ｍτ遅延する遅延手段と、前記遅延手段により遅延されたＮ個の受信信号を離散フーリエ変換（ＤＦＴ）する手段とを有するように構成することができる。
【図面の簡単な説明】
【００１５】
【図１】送信データ信号（長さＭのデータがＮ個）を説明するための図である。
【図２】送信データを逆ＤＦＴ変換する場合を説明するための図である。
【図３】ＤＦＴ行列ＦＮ―１を説明するための図である。
【図４】図３の演算結果を説明するための図である。
【図５】送信の原理を説明するための図である。
【図６】送信装置を説明するための図である。
【図７】送信信号を説明するための図である。
【図８】擬周期化を説明するための図（その１）である。
【図９】擬周期化を説明するための図（その２）である。
【図１０】受信装置を説明するための図である。
【図１１】ＤＦＴ入力信号を説明するための図である。
【発明を実施するための最良の形態】
【００１６】
先ず、送信データとして、長さＭ（Ｍは、２以上の自然数）のデータがＮ（Ｎは、２以上の自然数）個ある場合を考える。【００１７】
この場合の送信データを、次のように示す。【００１８】
長さＭの１番目のデータ：ｂ００        ｂ０１  ・・・・・ｂ０（Ｍ−１）
長さＭの２番目のデータ：ｂ１０        ｂ１１  ・・・・・ｂ１（Ｍ−１）
・・・・・・・・・・・・・・・・・・・・・・・・・・
・・・・・・・・・・・・・・・・・・・・・・・・・・
長さＭのＮ番目のデータ：ｂ（Ｎ−１）０  ｂ（Ｎ−１）１  ・・・ｂ（Ｎ−１）（Ｍ−１）
この送信データをマトリックス表現すると図１のようになる。【００１９】
図１のマトリックス表現が可能な送信データを送信するには、各種の方法が考えられる。【００２０】
ここでは、図２に示すように、送信データを逆ＤＦＴ（Ｄｉｓｃｒｅｔｅ
Ｆｏｕｒｉｅｒ Ｔｒａｎｓｆｏｒｍ）変換（逆離散フーリエ変換；ＩＤＦＴ）して送信する場合を考える。【００２１】
なお、演算子ＦＮ−１は、図３に示すＭ行、Ｎ列の行列である。【００２２】
また、図３において、単位円をＮ分割した点に相当する変ＷＮは、次のように定義される。【００２３】
【数５】
2008032804.tif 000007
図２の演算結果を図４に示す。【００２４】
図２の演算は、【００２５】
【数６】
2008032804.tif 000008
なお、行ベクトルｂ０        ＝（ｂ００        ｂ０１  ・・・・・ｂ０（Ｍ−１））
行ベクトルｂ１        ＝（ｂ１０        ｂ１１  ・・・・・ｂ１（Ｍ−１））
・              ・・・・・・・・・・・・・・・          
行ベクトルｂ（Ｎ−１）＝（ｂ（Ｎ−１）０    ｂ（Ｎ−１）１  ・・ｂ（Ｎ−１）（Ｍ−１））
である。【００２６】
したがって、図２の演算を行ベクトルの演算として、図４を見ると、
（第０行）：行ベクトルｂ０にＷＮ０が乗算されたもの、行ベクトルｂ０にＷＮ１が乗算されたもの、・・・行ベクトルｂ０にＷＮＮ−１が乗算されたもの
（第１行）：行ベクトルｂ１にＷＮ０が乗算されたもの、行ベクトルｂ１にＷＮ１が乗算されたもの、・・・行ベクトルｂ１にＷＮＮ−１が乗算されたもの
・・・・・・・・・・・・・・・・・・・・・・
（第Ｎ―１行）：行ベクトルｂ（Ｎ−１）にＷＮ０が乗算されたもの、行ベクトルｂ（Ｎ−１）にＷＮ１が乗算されたもの、・・・行ベクトルｂ（Ｎ−１）にＷＮＮ−１が乗算されたもの
が、図４に示されている。【００２７】
そして、図４から明らかなように、（第０行）＋（第１行）＋・・・＋（第Ｎ―１行）が、図２の演算結果となる。【００２８】
次に、図２の演算を列ベクトルの演算として、考察する。【００２９】
なお、列ベクトルｂ０        ＝（ｂ００        ｂ１０  ・・・・・ｂ（Ｎ−１）０）Ｔ
列ベクトルｂ１        ＝（ｂ０１        ｂ１１  ・・・・・ｂ（Ｎ−１）１）Ｔ
・              ・・・・・・・・・・・・・・・          
列ベクトルｂ（Ｍ−１）＝（ｂ０（Ｍ−１）    ｂ１（Ｍ−１）  ・・ｂ（Ｎ−１）（Ｍ−１））Ｔ
である。【００３０】
図４には、演算結果として、
ａ００＋ａ０１＋・・・＋ａ０（Ｍ−１）＋ａ１０＋ａ１１＋・・・＋ａ１（Ｍ−１）＋・・・・・・＋ａ（Ｎ―１）０＋ａ（Ｎ―１）１＋・・・＋ａ（Ｎ―１）（Ｍ−１）
であることが示されている。【００３１】
仔細に列ベクトルの演算として、図４を見ると、
（列ベクトルｂ０）の演算：（列ベクトルｂ０）にＷＮ０が乗算されたもの（＝ａ００）、（列ベクトルｂ０）にＷＮ１が乗算されたもの（＝ａ１０）、・・・、（列ベクトルｂ０）にＷＮＮ−１が乗算されたもの（＝ａ（Ｎ−１）０）
（列ベクトルｂ１）の演算：（列ベクトルｂ１）にＷＮ０が乗算されたもの（＝ａ０１）、（列ベクトルｂ１）にＷＮ１が乗算されたもの（＝ａ１１）、・・・、（列ベクトルｂ１）にＷＮＮ−１が乗算されたもの（＝ａ（Ｎ−１）１）
・・・・・・・・・・・・・・・・・・・・・・
（列ベクトルｂ（Ｍ−１））の演算：（列ベクトル（Ｍ−１））にＷＮ０が乗算されたもの（＝ａ０（Ｍ−１））、（列ベクトル（Ｍ−１））にＷＮ１が乗算されたもの（＝ａ１（Ｍ−１））、・・・、（列ベクトル（Ｍ−１））にＷＮＮ−１が乗算されたもの（＝ａ（Ｎ−１）（Ｍ−１））
が示されている。【００３２】
してみると、列ベクトルの演算として、図４を見ると、図２の演算結果は、（列ベクトルｂ０）の演算＋（列ベクトルｂ１）の演算＋・・・＋（列ベクトルｂ（Ｍ−１））の演算であることが分かる。
（送信の原理）
送信の原理について、図５を用いて説明する。【００３３】
本発明は、図１のマトリックス表現が可能な送信データを逆ＤＦＴ変換して送信した場合と同様の信号（図２の演算結果の信号）を、ＯＦＤＭのＩＣを有効利用して送信及び受信するものである。【００３４】
そのためには、図１のマトリックス表現が可能な送信データから、次に示すＭ個の列ベクトル信号を生成する。【００３５】
列ベクトルｂ０        ＝（ｂ００        ｂ１０  ・・・・・ｂ（Ｎ−１）０）Ｔ
列ベクトルｂ１        ＝（ｂ０１        ｂ１１  ・・・・・ｂ（Ｎ−１）１）Ｔ
・              ・・・・・・・・・・・・・・・          
列ベクトルｂ（Ｍ−１）＝（ｂ０（Ｍ−１）    ｂ１（Ｍ−１）  ・・ｂ（Ｎ−１）（Ｍ−１））Ｔ
このＭ個の列ベクトル信号を、時間τ間隔で、ＩＤＦＴに供給する。ＩＤＦＴは、Ｎ行Ｎ列の逆離散フーリエ変換を行う。【００３６】
最初に、列ベクトルｂ０がＩＤＦＴに供給されて、
ＦＮ−１（列ベクトルｂ０）
の演算が為される。その結果、図５に示すように、
（列ベクトルｂ０）の演算：（ａ００、ａ１０、・・・、ａ（Ｎ−１）０）Ｔ
が出力される。【００３７】
次に、時間τ後に、列ベクトルｂ１がＩＤＦＴに供給されて、
ＦＮ−１（列ベクトルｂ１）
の演算が為される。その結果、
（列ベクトルｂ１）の演算：（ａ０１、ａ１１、・・・、ａ（Ｎ−１）１）Ｔ
が出力される。【００３８】
・・・・・・
最後に、列ベクトルｂ（Ｍ−１）がＩＤＦＴに供給されて、
ＦＮ−１（列ベクトルｂ（Ｍ−１））
の演算が為される。その結果、
（列ベクトル（Ｍ−１））の演算：（ａ０（Ｍ−１）、ａ１（Ｍ−１）、・・・、ａ（Ｎ−１）（Ｍ−１））Ｔ
が出力される。【００３９】
なお、ここでは、ＩＤＦＴの処理は、時間τ以内に終了するものとする。【００４０】
次に、ＩＤＦＴで処理された（列ベクトルｂ０）の演算と、（列ベクトルｂ１）の演算と、＋・・・＋（列ベクトルｂ（Ｍ−１））の演算結果を加算すると、各列ベクトルの演算結果が、分離できない。【００４１】
つまり、（列ベクトルｂ０）の演算では、ａ００、ａ１０、・・・、ａ（Ｎ−１）０の出力が分離できなくなる。【００４２】
そこで、ａ００の出力は、遅延することなく、ａ１０の出力は、Ｍτ遅延した後に、・・・
ａ（Ｎ−１）０の出力は、（Ｎ−１）Ｍτ遅延した後に、加算するようにする。また、その他の列ベクトルの演算結果についても、同様に遅延を行う必要がある。【００４３】
なお、時間Ｍτは、Ｍ個の列ベクトルのＩＤＦＴにおける処理が全て終了する時間に相当する。【００４４】
また、ａ００は、ＷＮ０の係数が乗算された出力であり、逆離散フーリエ変換の第０行に係る端子の出力である。また、ａ１０は、ＷＮ１の係数が乗算された出力であり、逆離散フーリエ変換の第１行に係る端子の出力である。・・、ａ（Ｎ−１）０は、ＷＮＮ−１の係数が乗算された出力であり、逆離散フーリエ変換の第Ｎ―１行に係る端子の出力である。【００４５】
してみると、逆離散フーリエ変換の第０行に係る端子の出力は、遅延することなく、
逆離散フーリエ変換の第１行に係る端子の出力は、Ｍτ遅延した後に、
・・・
逆離散フーリエ変換の第Ｎ−１行に係る端子の出力は（Ｎ−１）Ｍτ遅延した後に、加算するようにする。
（送信装置）
図６を用いて、本発明の送信装置を説明する。【００４６】
図６の送信装置は、列ベクトル生成手段１０、列ベクトル供給手段１１、Ｎ次のＩＤＦＴ処理手段１２、Ｍτ遅延１３、・・・、（Ｎ−１）Ｍτ遅延手段、加算手段１５、擬周期付与手段１６、変調手段１７及びアンテナ１８から構成されている。【００４７】
本発明の送信装置は、図１のマトリックス表現が可能な送信データを送信する。【００４８】
列ベクトル生成手段１０は、図１のマトリックス表現が可能な送信データから、次に示すＭ個の列ベクトル信号を生成する。【００４９】
列ベクトルｂ０        ＝（ｂ００        ｂ１０  ・・・・・ｂ（Ｎ−１）０）Ｔ
列ベクトルｂ１        ＝（ｂ０１        ｂ１１  ・・・・・ｂ（Ｎ−１）１）Ｔ
・              ・・・・・・・・・・・・・・・          
列ベクトルｂ（Ｍ−１）＝（ｂ０（Ｍ−１）    ｂ１（Ｍ−１）  ・・ｂ（Ｎ−１）（Ｍ−１））Ｔ
列ベクトル供給手段１１は、列ベクトル生成手段１０が生成したＭ個の列ベクトル信号を、時間τ間隔で、ＩＤＦＴ処理手段１２に供給する。【００５０】
ＩＤＦＴ処理手段１２は、Ｍ個の列ベクトル信号を順次受けて、その都度、ＩＤＦＴ処理を行う。各処理は、τ時間以内に行われる。【００５１】
ＩＤＦＴ処理手段１２は、第０行に係る出力の出力端子、第１行に係る出力の出力端子、・・、第Ｎ−１行に係る出力の出力端子を有する。【００５２】
ＩＤＦＴ処理手段１２の、第０行に係る出力端子の出力は、そのまま加算手段１５に供給され、第１行に係る出力端子の出力は、Ｍτ遅延手段を介して加算手段１５に供給され、・・・、第Ｎ−１行に係る出力端子の出力は、（Ｎ−１）Ｍτ遅延手段を介して、加算手段１５に供給される。【００５３】
加算手段１５からは、先ず、第０行に係る出力端子の出力信号が出力され、次いで、第１行に係る出力端子の出力が出力され、・・・、最後に、（Ｎ−１）Ｍτ遅延したＷＮＮ−１の係数が乗算された出力信号が出力される。【００５４】
更に、詳細に説明すれば、図７に示すように、
ＷＮ０の係数が乗算された出力信号として、先ず、（列ベクトルｂ０）の演算結果の一部のａ００が出力され、次いで、τ時間後に、（列ベクトルｂ１）の演算結果の一部のａ０１が出力され、・・・Ｍτ時間後に、（列ベクトル（Ｍ−１））の演算結果の一部のａ０（Ｍ−１）が出力される。【００５５】
このＷＮ０の係数が乗算された出力信号が出力された後に、（Ｍτ＋τ）時間後に、Ｍτ遅延したＷＮ１の係数が乗算された出力信号が出力され、・・・・、（（Ｎ−１）Ｍτ＋τ）時間後にＷＮＮ−１の係数が乗算された出力信号が出力される。【００５６】
加算手段１５で加算された加算信号は、擬周期付与部（擬周期化手段）により、擬周期化された、変調手段１７で変調されて、アンテナ１８により、送信される。【００５７】
擬周期付与部１６では、ガードインターバルＧＩを挿入する。具体的には、図８に示すように、有効シンボルの前後に、有効シンボル（その期間をシンボル期間ＳＴとする。）の前半及び後半の一部をコピーして、それを有効シンボルの後部及び前部に付加する。【００５８】
また、図９に示すように、有効シンボルＳＴの後半の一部をコピーして、それを有効シンボルの前に付加するものと同等である。【００５９】
また、送信データには、マルチパス特性測定用のパイロット信号を含むようにしてもよい。
（受信装置）
図１０を用いて、本発明の受信装置を説明する。【００６０】
図１０の受信装置は、アンテナ２１、復調手段２２、分配手段２４、（Ｎ−１）Ｍτ遅延手段２５、（Ｎ−２）Ｍτ遅延手段２６、・・・、Ｍτ遅延手段２７及びＤＦＴ処理手段２８から構成されている。【００６１】
アンテナ２１は、図６の送信装置からの信号を受信する。アンテナ２１で受信された信号は、復調部２２で、復調されてベースバンド信号に変換される。復調部２２でベースバンドに変換された信号は、分配手段２４に供給される。分配手段２４は、入力信号を、単に、Ｎ分岐して出力する。Ｎ分岐されたそれぞれは、（Ｎ−１）Ｍτ遅延手段２５に供給され、（Ｎ−２）Ｍτ遅延手段２６、・・・、Ｍτ遅延手段２７に供給される。【００６２】
（Ｎ−１）Ｍτ遅延手段２５、（Ｎ−２）Ｍτ遅延手段２６、・・・、Ｍτ遅延手段２７からの出力は、ＤＦＴ処理手段２８に供給される。【００６３】
この（Ｎ−１）Ｍτ遅延手段２５、（Ｎ−２）Ｍτ遅延手段２６、・・・、Ｍτ遅延手段２７によって、ＤＦＴ処理手段２８には、図１１のタイミングが生じる。【００６４】
図１１のタイミングから、ＤＦＴ２８は、演算を開始する。【００６５】
ベクトル（ａ００  ａ１０  ・・・・・ａ（Ｎ−１）０）Ｔが、ＤＦＴ２８に入力されたとき、行ベクトルｂ０（ｂ００        ｂ０１  ・・・・・ｂ０（Ｍ−１））Ｔが、ＤＦＴ２８から出力され、（ａ０１  ａ１１  ・・・・・ａ（Ｎ−１）１）Ｔが、ＤＦＴ２８に入力されたとき、行ベクトルｂ１（ｂ１０        ｂ１１  ・・・・・ｂ１（Ｍ−１））Ｔが、ＤＦＴ２８から出力され、（ａ０（Ｍ−１）  ａ１（Ｍ−１）  ・・・・・ａ（Ｎ−１）（Ｍ−１））Ｔが、ＤＦＴ２８に入力されたとき、行ベクトルｂ（Ｎ−１）（ｂ（Ｎ−１）０        ｂ（Ｎ−１）１  ・・・・・ｂ（Ｎ−１）（Ｍ−１））Ｔが、ＤＦＴ２８から出力される。【００６６】
したがって、ＤＦＴ２８が演算を開始すると、順に、行ベクトルｂ０、行ベクトルｂ１・・・・
行ベクトルｂ（Ｎ−１）が出力される。【００６７】
これにより、送信装置で送信された図１の送信データを受信することができる。【００６８】
本発明は、具体的に開示された実施例に限定されるものではなく、特許請求した本発明の範囲から逸脱することなく、種々の変形例や実施例が考えられる。そのため、上述の実施例は、あらゆる点で単なる例示に過ぎず限定的に解釈してはならない。本発明の範囲は請求の範囲によって示すものであり、明細書の本文にはなんら拘束されない。【００６９】
本件国際出願は、２００６年９月１５日に出願した日本国特許出願２００６−２５１１８３号に基づく優先権を主張するものであり、日本国特許出願日本国特許出願２００６−２５１１８３号の全内容を本国際出願に援用する。
【図１】
2008032804.tif 000013
【図２】
2008032804.tif 000014
【図３】
2008032804.tif 000015
【図４】
2008032804.tif 000016
【図５】
2008032804.tif 000017
【図６】
2008032804.tif 000018
【図７】
2008032804.tif 000019
【図８】
2008032804.tif 000020
【図９】
2008032804.tif 000021
【図１０】
2008032804.tif 000022
【図１１】
2008032804.tif 000023
【国際調査報告】
2008032804.tif 000024
2008032804.tif 000025
2008032804.tif 000026
2008032804.tif 000027